(57)【特許請求の範囲】
【請求項１】
記録面に励起光が照射される際に両面側から輝尽発光光を発する両面読み取り型蓄積性蛍光体シートが使用され、前記蓄積性蛍光体シートに蓄積記録された放射線画像情報の読み取りを行う画像情報読取装置であって、
前記蓄積性蛍光体シートの前記記録面側に配置され、該記録面に励起光を照射する励起光照射手段と、
前記記録面側に配置され、該記録面側から発せられる輝尽発光光を集光する第１集光手段と、
前記記録面とは反対の裏面側に配置され、前記裏面側から発せられる輝尽発光光を集光する第２集光手段と、
前記裏面側に配置され、前記蓄積性蛍光体シートを案内する第１ガイド部材及び第２ガイド部材を有するガイド部材と、
前記第１ガイド部材と前記第２ガイド部材との間に設けられ、前記裏面側に前記励起光の照射位置に対応して、前記第１ガイド部材と前記第２ガイド部材の表面に対して段差Ｈを有して設けられる光透過性ガイド部材と、
を備えることを特徴とする画像情報読取装置。
【請求項２】
請求項１記載の装置において、前記ガイド部材は、前記蓄積性蛍光体シートと接する面側に緩衝材を設けるとともに、
前記緩衝材の表面が、前記光透過性ガイド部材の前記蓄積性蛍光体シート側の面よりも該蓄積性蛍光体シート側に近接する位置に設定されることを特徴とする画像情報読取装置。
【請求項３】
請求項２記載の装置において、前記緩衝材は、前記ガイド部材の表面から前記光透過性ガイド部材が併設される端面にわたって設けられることを特徴とする画像情報読取装置。
【請求項４】
蓄積性蛍光体シートの記録面に励起光が照射されることにより、前記蓄積性蛍光体シートに蓄積記録された放射線画像情報の読み取りを行う画像情報読取装置であって、
前記蓄積性蛍光体シートの前記記録面とは反対の裏面側に配置されて該蓄積性蛍光体シートを平面状乃至曲面状の搬送面に沿って案内するとともに、前記励起光の走査面の少なくとも一部に前記蓄積性蛍光体シートの搬送方向に沿って距離Ｗに渡って開口する開口部が設けられるガイド部材と、
前記開口部に前記ガイド部材の表面に対して段差Ｈを有して設けられる光透過性ガイド部材と、
を備え、
前記励起光の前記蓄積性蛍光体シートへの入射方向と、前記蓄積性蛍光体シートの搬送方向とのなす角度が、０より大きくπ／２よりも小さい、又は｛π／２＋ｔａｎ-1（Ｈ／Ｗ）｝よりも大きくπよりも小さいことを特徴とする画像情報読取装置。
【発明の詳細な説明】
【０００１】
【発明の属する技術分野】
本発明は、記録面に励起光が照射される際に両面側から輝尽発光光を発する両面読み取り型蓄積性蛍光体シートが使用され、前記蓄積性蛍光体シートに蓄積記録された放射線画像情報の読み取りを行う画像情報読取装置に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、通常、シート状に構成されて蓄積性蛍光体シートとして使用されている。
【０００４】
上記システムでは、例えば、蓄積性蛍光体シートに記録された画像情報の読み取りを行う読み取り部と、読み取り処理後に前記蓄積性蛍光体シートに残存する画像情報を消去する消去部とを備えた画像情報読取装置が採用されている。この画像情報読取装置では、外部の撮影装置により被写体の放射線画像情報が記録された蓄積性蛍光体シートを収容するカセッテが装填部に挿入される。
【０００５】
次いで、カセッテが開蓋された状態で、シート体枚葉手段の作用下に前記カセッテから蓄積性蛍光体シートが取り出され、この蓄積性蛍光体シートがシート体搬送手段を介して読み取り部に搬送される。読み取り部で放射線画像情報の読み取り処理が施された蓄積性蛍光体シートは、消去部で残像の消去処理が行われた後、装填部に配置されているカセッテ内に収容される。
【０００６】
最近、マンモ撮影等のように、被写体の放射線画像情報を高画質で再生するために、蓄積性蛍光体シートに蓄積されたエネルギを効率よく読み取ることが望まれている。そこで、蓄積性蛍光体シートのベース面を透明にする工夫がなされている。この種の蓄積性蛍光体シートでは、蛍光体層（記録面）側から励起光が照射されると、この蛍光体層側の他、ベース面側（裏面側）からも輝尽発光光が発せられる。従って、読み取り部では、蓄積性蛍光体シートの両面側に輝尽発光光を集光するための２つの集光手段が設けられている。
【０００７】
【発明が解決しようとする課題】
ところで、読み取り部では、放射線画像情報の読み取り処理を高精度に遂行するために、蓄積性蛍光体シートの裏面側をガイド手段に接触させながら、前記蓄積性蛍光体シートをローラ対で挟持搬送する構造が採用されている。その際、蓄積性蛍光体シートの裏面側に配置されている集光手段に輝尽発光光を集光させるため、ガイド手段は、励起光の照射位置に対応して分離構成されている。
【０００８】
これにより、蓄積性蛍光体シートは、励起光の照射位置近傍で一方のガイド手段から他方のガイド手段に乗り換える際、この他方のガイド手段を構成する、例えば、ガラスガイドに直接接触し、前記蓄積性蛍光体シートの裏面側に損傷が発生するおそれがある。しかも、蓄積性蛍光体シートの先端が他方のガイド手段に当接してしまい、この蓄積性蛍光体シートにばたつきが生じて読み取り画像にムラが発生するという問題が指摘されている。
【０００９】
本発明はこの種の問題を解決するものであり、両面読み取り型蓄積性蛍光体シートに損傷等を発生させることがなく、高精度な画像読み取り処理を効率的に遂行することが可能な画像情報読取装置を提供することを目的とする。
【００１０】
【課題を解決するための手段】
本発明に係る画像情報読取装置では、蓄積性蛍光体シートの裏面側に前記蓄積性蛍光体シートを案内する第１ガイド部材及び第２ガイド部材を有するガイド部材と、前記第１ガイド部材と前記第２ガイド部材との間に設けられ、前記裏面側に前記励起光の照射位置に対応して、前記第１ガイド部材と前記第２ガイド部材の表面に対して段差Ｈを有して設けられる光透過性ガイド部材が配置される。このため、蓄積性蛍光体シートの裏面側から発する輝尽発光光が光透過性ガイド部材を透過して第２集光手段に確実に集光され、高精度な読み取り処理が遂行される。
【００１１】
しかも、蓄積性蛍光体シートは、光透過性ガイド部材の案内作用下にガイド部材に円滑に受け渡される。これにより、蓄積性蛍光体シートの裏面側に損傷が発生することを阻止するとともに、前記蓄積性蛍光体シートのばたつきによる読み取り画像のムラを有効に防止することが可能になる。
【００１２】
また、ガイド部材は、蓄積性蛍光体シートと接する面側に緩衝材を設けており、この蓄積性蛍光体シートの裏面側の損傷を可及的に阻止することができる。さらに、緩衝材の表面が、光透過性ガイド部材の蓄積性蛍光体シート側の面よりも前記蓄積性蛍光体シート側に近接する位置に設定されている。従って、蓄積性蛍光体シートが緩衝材から光透過性ガイド部材に受け渡される際に、この蓄積性蛍光体シートの先端が引っかかることがなく、前記蓄積性蛍光体シートを円滑に搬送することが可能になる。しかも、蓄積性蛍光体シートの下方に撓み易い中央部分が、光透過性ガイド部材に接触することがなく、前記蓄積性蛍光体シートの損傷を回避することができる。
【００１３】
さらにまた、緩衝材は、ガイド部材の表面から光透過性ガイド部材が併設される端面にわたって設けられており、蓄積性蛍光体シートの引っかかりを可及的に阻止することができる。
【００１４】
また、本発明では、蓄積性蛍光体シートの記録面とは反対の裏面側に、前記蓄積性蛍光体シートを平面状乃至曲面状の搬送面に沿って案内するとともに、前記励起光の走査面の少なくとも一部に開口部が設けられるガイド部材と、前記開口部に配置され、前記ガイド部材よりも前記蓄積性蛍光体シートから離間する光透過性ガイド部材が配置される。
【００１５】
この場合、蓄積性蛍光体シートの搬送方向に沿って距離Ｗに渡って開口する開口部が設けられるガイド部材と、前記開口部に前記ガイド部材の表面に対して段差Ｈを有して設けられる光透過性ガイド部材において、前記励起光の前記蓄積性蛍光体シートへの入射方向と、前記蓄積性蛍光体シートの搬送方向とのなす角度は、０より大きくπ／２よりも小さい、又は｛π／２＋ｔａｎ-1（Ｈ／Ｗ）｝よりも大きくπよりも小さい。このため、蓄積性蛍光体シートが第１および第２ガイド部材間で撓んでも、この蓄積性蛍光体シートで反射される励起光の正反射成分が前記励起光の入射方向に戻ることがない。これによって、迷光等により画像ノイズが発生することがなく、高精度な読み取り処理が遂行される。
【００１７】
【発明の実施の形態】
図１は、本発明の実施形態に係る画像情報読取装置１０の概略構成説明図である。
【００１８】
画像情報読取装置１０を構成する装置本体１２の前面（操作面）上部には、操作部およびモニタの機能を有するタッチパネル１４が設けられ、このタッチパネル１４の下方には、カセッテ１８を着脱自在なカセッテ装填部２０が設けられる。
【００１９】
カセッテ１８は、蓄積性蛍光体シート２２を収容する筐体２４と、この筐体２４の開口部２６を開閉自在な蓋体２８とを有している。蓄積性蛍光体シート２２は、透明なベース面上に記録面が設けられ、励起光の照射によって両面側から輝尽発光光を発する画面読み取り型シート体を構成している。
【００２０】
カセッテ装填部２０には、カセッテ１８を載置するための支持台３０が設けられるとともに、装置本体１２の内部を遮光するためのシャッター部材３２が開閉自在に配置される。カセッテ装填部２０の内部には、カセッテ１８から蓄積性蛍光体シート２２を取り出す一方、後述する読み取り処理および消去処理後の前記蓄積性蛍光体シート２２を前記カセッテ１８内に戻す枚葉部３６が装着される。枚葉部３６は、カセッテ装填部２０で蓋体２８が開放されたカセッテ１８内に進入自在な吸着盤４０ａ、４０ｂを備える。
【００２１】
枚葉部３６の下方には、搬送系４２を介して消去部４４および読み取り部４６が配設される。搬送系４２は、複数の互いに対をなすローラ対４８を備えており、このローラ対４８により構成される鉛直搬送路に消去部４４が配置される。この消去部４４は、蓄積性蛍光体シート２２の記録面側に配置される消去ユニット５０を備えている。消去ユニット５０内には、複数の消去用光源５２が水平方向に配列されている。
【００２２】
ローラ対４８により構成される水平搬送路に沿って読み取り部４６が配置される。この読み取り部４６は、カセッテ１８から取り出された蓄積性蛍光体シート２２を副走査方向（矢印Ａ方向）に搬送する副走査搬送機構５４と、副走査方向に搬送される前記蓄積性蛍光体シート２２に主走査方向（副走査方向と略直交する方向）にレーザ光Ｌを照射するレーザ光照射手段（励起光照射手段）５６と、このレーザ光Ｌの照射によって蓄積性蛍光体シート２２から生ずる輝尽発光光を光電的に読み取る第１および第２集光系（集光手段）５８ａ、５８ｂとを備えている。
【００２３】
副走査搬送機構５４は、互いに同期して回転駆動される第１および第２ローラ対６０、６２を備え、この第１および第２ローラ対６０、６２は、駆動ローラ６０ａ、６２ａと前記駆動ローラ６０ａ、６２ａに対して開閉自在なニップローラ６０ｂ、６２ｂとを設ける。
【００２４】
第１集光系５８ａは、蓄積性蛍光体シート２２の記録面上のレーザ光Ｌの照射位置に主走査線に沿って配置される第１集光ガイド６４ａと、この第１集光ガイド６４ａの上部に装着される第１フォトマルチプライヤ６６ａとを備える。第２集光系５８ｂは、蓄積性蛍光体シート２２の裏面側に配置されており、前記蓄積性蛍光体シート２２の裏面側で主走査線に沿って配置される第２集光ガイド６４ｂと、この第２集光ガイド６４ｂの端部に装着される第２フォトマルチプライヤ６６ｂとを備える。
【００２５】
図２および図３に示すように、読み取り部４６は、蓄積性蛍光体シート２２の裏面側に配置され、この蓄積性蛍光体シート２２を矢印Ａ方向に案内する第１および第２ガイド部材７０、７２と、前記第１および第２ガイド部材７０、７２の間に対応し、かつ前記蓄積性蛍光体シート２２の裏面側にレーザ光Ｌの照射位置に対応して配置される光透過性ガイド部材、例えば、ガラスガイド７４とを備え、前記第１および第２ガイド部材７０、７２および前記ガラスガイド７４が取り付け部材７６に一体的に保持されている。
【００２６】
取り付け部材７６は、レーザ光Ｌの主走査方向に沿って長尺に構成されるとともに、このレーザ光Ｌの主走査線に対応して開口部７８が形成される。この開口部７８は、第２集光系５８ｂを構成する第２集光ガイド６４ｂを挿通可能な幅寸法に設定されている。取り付け部材７６の上部には、第１および第２ガイド部材７０、７２を載置する第１および第２載置面８０、８２と、ガラスガイド７４を載置する第３載置面８４ａ、８４ｂとが設けられる。前記第１および第２載置面８０、８２には、所定間隔離間して複数のねじ孔８６と小径なねじ孔８７とが形成される。
【００２７】
第１ガイド部材７０は、蓄積性蛍光体シート２２の主走査方向全幅にわたって第１ローラ対６０の上流側から走査線近傍まで延在しており、前記第１ローラ対６０を構成する駆動ローラ６０ａの各ローラ面８８に対応して複数の開口部９０が形成される。第１ガイド部材７０は、板材９２と、この板材９２の蓄積性蛍光体シート２２と接する面側に設けられる緩衝材９４とを備える。緩衝材９４は、例えば、ポリエステル織布や不織布等により構成されており、板材９２の上面側からガラスガイド７４が並設される端面にわたり、さらにこの板材９２の反対側の面まで折り返して設けられている。
【００２８】
第１ガイド部材７０には、取り付け部材７６に設けられたねじ孔８６に対応して孔部９６が形成され、この孔部９６に挿入されるねじ９８を介して前記第１ガイド部材７０が前記取り付け部材７６に装着される。第１ガイド部材７０の両端部に設けられた凹部９９には、ガラスガイド押さえ１００が配置され、ねじ１０２がねじ孔８７にねじ込まれることにより、ガラスガイド７４が前記取り付け部材７６に固定される。なお、第２ガイド部材７２は、第１ガイド部材７０と同様に構成されており、同一の構成要素には同一の参照符号を付して、その詳細な説明は省略する。
【００２９】
ガラスガイド７４は、第２集光ガイド６４ｂ側の面（裏面）側にＡＲコート処理が施されている。ＡＲコートによりレーザ光Ｌの反射成分を抑えるとともに、輝尽発光光の透過率を向上させることができるからである。このガラスガイド７４の一つの角部に面取り１０４が施されており、これによって前記ガラスガイド７４の表裏判別が容易に行われる。
【００３０】
図３に示すように、第１および第２ガイド部材７０、７２およびガラスガイド７４が取り付け部材７６に装着された状態で、この第１および第２ガイド部材７０、７２を構成する緩衝材９４の表面が、前記ガラスガイド７４の面よりも蓄積性蛍光体シート２２側に距離Ｈ（Ｈ＝０．１ｍｍ〜０．２ｍｍ）だけ近接する位置に設定される。
【００３１】
次に、このように構成される画像情報読取装置１０の動作について説明する。
【００３２】
まず、図示しない撮影装置により人体等の被写体の撮影画像情報が蓄積記録された蓄積性蛍光体シート２２を収容するカセッテ１８が、画像情報読取装置１０のカセッテ装填部２０を構成する支持台３０に沿って装置本体１２の内方に導入される。このカセッテ１８は、その先端部でシャッター部材３２を押し開いて該カセッテ１８の先端部が装置本体１２の内部に挿入されるとともに、蓋体２８が所定の位置まで開動される。
【００３３】
そこで、枚葉部３６を構成する吸着盤４０ａ、４０ｂが、カセッテ１８内の蓄積性蛍光体シート２２のベース面に対して上方から斜め下方に傾斜する軌跡に沿って移動する。吸着盤４０ａ、４０ｂが蓄積性蛍光体シート２２のベース面を吸着保持した状態で、カセッテ１８内から搬送系４２側に移動し、前記蓄積性蛍光体シート２２の先端をローラ対４８に挟持させる。蓄積性蛍光体シート２２は、搬送系４２を構成する複数のローラ対４８の回転作用下に水平方向から鉛直下方向に向かって搬送され、消去部４４を一旦通過した後、水平方向に搬送されて読み取り部４６に送られる。
【００３４】
この読み取り部４６では、蓄積性蛍光体シート２２が副走査搬送機構５４を構成する第１および第２ローラ対６０、６２の作用下に矢印Ａ方向に副走査搬送されながら、この蓄積性蛍光体シート２２の記録面側にレーザ光照射手段５６からレーザ光Ｌが主走査される。
【００３５】
これにより、蓄積性蛍光体シート２２の記録面側から発せられる輝尽発光光が第１集光系５８ａにより光電的に読み取られるとともに、透明なベース面を透過して前記蓄積性蛍光体シート２２の裏面側から発せられる輝尽発光光が第２集光系５８ｂにより光電的に読み取られる。従って、読み取り精度が向上し、特に、マンモ撮影等のような高画質が望まれる際にも有効に適応可能になる。
【００３６】
読み取り処理後の蓄積性蛍光体シート２２は、副走査搬送機構５４でスイッチバックされ、鉛直上方向に搬送されて消去部４４を構成する消去ユニット５０を通って枚葉部３６側に搬送される。その際、消去ユニット５０を構成する消去用光源５２を介して蓄積性蛍光体シート２２の両面に消去光が照射され、前記蓄積性蛍光体シート２２に残存する放射線画像情報の消去処理が行われる。消去処理後の蓄積性蛍光体シート２２は、枚葉部３６を構成する吸着盤４０ａ、４０ｂの吸着作用下に空のカセッテ１８内に送り込まれる。
【００３７】
この場合、本実施形態では、図３に示すように、レーザ光Ｌの照射位置に対応してガラスガイド７４が配置されるとともに、このガラスガイド７４の両端部に近接して第１および第２ガイド部材７０、７２が設けられている。このため、蓄積性蛍光体シート２２の裏面側から発せられる輝尽発光光は、ガラスガイド７４を透過して第２集光ガイド６４ｂに確実に照射され、蓄積性蛍光体シート２２に記録されている放射線画像情報の読み取り精度が有効に向上するという効果が得られる。
【００３８】
さらに、第１および第２ガイド部材７０、７２は、蓄積性蛍光体シート２２のベース面が接する表面側に緩衝材９４を設けるとともに、ガラスガイド７４の蓄積性蛍光体シート２２側の面が、前記緩衝材９４の表面から距離Ｈだけ該蓄積性蛍光体シート２２より離間している。従って、蓄積性蛍光体シート２２の裏面は、第１および第２ガイド部材７０、７２に接する際に損傷等を発生することがない一方、ガラスガイド７４に接することがなく、この蓄積性蛍光体シート２２に損傷が惹起されることを阻止することができる。しかも、蓄積性蛍光体シート２２の先端が第１ガイド部材７０からガラスガイド７４を介して第２ガイド部材７２に受け渡される際に、先端の引っかかりを回避することが可能になる。
【００３９】
これにより、蓄積性蛍光体シート２２は、第１ガイド部材７０、ガラスガイド７４および第２ガイド部材７２に円滑に受け渡され、この蓄積性蛍光体シート２２のばたつきによる読み取り画像のムラを有効に防止できるという利点がある。
【００４０】
さらにまた、緩衝材９４は、板材９２の表面からガラスガイド７４が並設される端面を覆って設けられている。このため、蓄積性蛍光体シート２２がガラスガイド７４から第２ガイド部材７２に搬送される際に、この蓄積性蛍光体シート２２の先端が引っかかることを可及的に阻止し、前記蓄積性蛍光体シート２２を矢印Ａ方向に円滑かつ高精度に副走査搬送することが可能になる。
【００４１】
また、第１および第２ガイド部材７０、７２は、図２に示すように、取り付け部材７６の第１および第２載置面８０、８２に載置されてねじ９８により固定されるとともに、ガラスガイド７４は、この取り付け部材７６の第３載置面８４ａ、８４ｂ上に配置され、その両端側がガラスガイド押さえ１００を介して固定されている。従って、第１および第２ガイド部材７０、７２とガラスガイド７４との相対位置は、取り付け部材７６の加工精度によって確実に維持することができ、簡単な構成で位置決め精度が有効に向上するという効果がある。
【００４２】
ところで、蓄積性蛍光体シート２２の先端が、ガラスガイド７４と第２ガイド部材７２との境界部位に進入した際にも、レーザ光Ｌの正反射成分が光学系に戻らないように条件を設定することができる。すなわち、図４に示すように、ガラスガイド７４の幅寸法Ｗ、レーザ光Ｌの入射角度をθ（図４中、反時計回りを正とする）、蓄積性蛍光体シート２２を案内する第１および第２ガイド部材７０、７２の表面からガラスガイド７４の表面までの距離をＨとする。
【００４３】
ここで、レーザ光Ｌの入射角度θが、０≦θ≦ｔａｎ-1（Ｈ／Ｗ）であると、蓄積性蛍光体シート２２の先端が、第２ガイド部材７２の手前でかつガラスガイド７４上で撓むと、前記レーザ光Ｌが前記蓄積性蛍光体シート２２に対して直角に照射される場合がある。このため、レーザ光Ｌの正反射成分がこのレーザ光Ｌの入射方向に戻って迷光が発生し、レーザ共振器の共振状態を乱したり、ＡＰＣやＡＣＣ回路の制御を乱したりして、予期せぬレーザ光Ｌの光量変動を招き、読み取り画像にノイズが惹起されるおそれがある。
【００４４】
従って、本実施形態では、レーザ光Ｌの入射角度θが、θ＞ｔａｎ-1（Ｈ／Ｗ）、またはθ＜０の条件を満たすことにより、上記の不具合を有効に防止することが可能になるという効果が得られる。
【００４５】
なお、本実施形態では、光透過性ガイド部材としてガラスガイド７４を使用したが、これに限定されるものではなく、アクリル樹脂等の比較的損傷し難い材料を使用することができる。また、副走査搬送機構５４では、蓄積性蛍光体シート２２を平面状の搬送路に沿って搬送するため、第１および第２ガイド部材７０、７２とガラスガイド７４とが平坦状に構成されているが、前記副走査搬送機構５４が、例えば、湾曲搬送路を構成する際には、前記第１および第２ガイド部材７０、７２と前記ガラスガイド７４とを湾曲形状に設定すればよい。
【００４６】
【発明の効果】
本発明に係る画像情報読取装置では、蓄積性蛍光体シートの裏面側にガイド部材と、励起光の照射位置に対応して光透過性ガイド部材とが配置されるため、この蓄積性蛍光体シートの裏面側から発する輝尽発光光が前記光透過性ガイド部材を透過して確実に集光され、高精度な読み取り処理が簡単な構成で確実に遂行される。
【図面の簡単な説明】
【図１】本発明の実施形態に係る画像情報読取装置の概略構成説明図である。
【図２】前記画像情報読取装置を構成する読み取り部の要部分解斜視説明図である。
【図３】前記読み取り部の要部正面説明図である。
【図４】前記レーザ光の迷光防止用の条件設定を行う際の説明図である。
【符号の説明】
１０…画像情報読取装置          １２…装置本体
１８…カセッテ                  ２０…カセッテ装填部
２２…蓄積性蛍光体シート        ３６…枚葉部
４０ａ、４０ｂ…吸着盤          ４４…消去部
４６…読み取り部                ５４…副走査搬送機構
５６…レーザ光照射手段          ５８ａ、５８ｂ…集光系
６０、６２…ローラ対            ６４ａ、６４ｂ…集光ガイド
７０、７２…ガイド部材          ７４…ガラスガイド
７６…取り付け部材              ７８、９０…開口部
８０、８２、８４ａ、８４ｂ…載置面
９２…板材                      ９４…緩衝材
１００…ガラスガイド押さえ
【図１】
0003980245.tif 000002
【図２】
0003980245.tif 000003
【図３】
0003980245.tif 000004
【図４】
0003980245.tif 000005